(57)【特許請求の範囲】
【請求項１】
建物の壁面に固定する複数のブラケットと各ブラケットに固定する手摺部材とからなるブラケット一体型手摺において、
ブラケットは、断面コ字形を有するブラケット本体を建物の壁面に間隔をあけて固定した状態で所定の奥行きを有する開口隙間が壁面の前方に向けて開口した状態に形成され、
手摺部材は、前面が凹凸のない直線状に形成された長尺の側面体を有し、該側面体の上部に握り部が形成されると共に、該側面体の背後の途中に壁面側に向かって突出した水平突出部が形成され、該水平突出部に、壁面に固定したブラケットの開口隙間を摺動自在に嵌合し、壁面の凹凸に応じてブラケットの開口隙間と手摺部材の水平突出部との取り合いを調整することによって、手摺の前面を連続的な直線状の側面に形成することを特徴とするブラケット一体型手摺。
【請求項２】
ブラケット及び手摺部材は合成樹脂材料を用いて形成すると共に、該合成樹脂材料に抗菌剤を含有させたことを特徴とする請求項１記載のブラケット一体型手摺。
【請求項３】
ブラケットの背面の面内には所定深さの仮止め溝が形成され、該ブラケットを取り付けるべき壁面の所定箇所に所定厚さの位置決め部材を固定し、該位置決め部材をブラケットの仮止め溝に嵌合する形状とすることにより、壁面に取り付けた位置決め部材にブラケットの仮止め溝を嵌合することによって、該ブラケットを仮止めするようにしたことを特徴とする請求項１又は２記載のブラケット一体型手摺。
【請求項４】
ブラケットの両側面には、ブラケットの開口隙間と手摺部材の水平突出部との取り合いに応じて生じた隙間を閉塞する化粧カバーを取り付けるための取付け溝が形成されたことを特徴とする請求項１、２又は３記載のブラケット一体型手摺。
【発明の詳細な説明】
【技術分野】
【０００１】
本発明は、建物の壁面等に凹凸がある場合でも手摺の前面を連続的に凹凸のない直線状の側面に形成することができるブラケット一体型手摺に関する。
【背景技術】
【０００２】
従来から、建物の室内、廊下、階段等の壁面に取り付けられる手摺は、特許文献１に記載されているようにブラケットを用いて壁面にネジで固定するようにしていた。
【０００３】
この文献に記載されている手摺ブラケットは、建物の壁面にネジで固定するための座板を設けたブラケット本体と、ブラケット本体に形成された湾曲形状のアームと、アームの上端に形成された支持板とを備え、このアームの支持板に断面円形の手摺をネジで固定するようにしたものである。
【０００４】
このように、従来の手摺は、建物の壁面にブラケットをネジで固定し、このブラケットのアームの端部に設けられた支持板に手摺を載置してネジで固定するものが一般的であった。
【０００５】
ところが、このような手摺の構造では、ブラケットと手摺の各部材の取り合い部分が複雑になるため、清掃が困難であり、意匠的にも見栄えが悪くなるという欠点があった。
【０００６】
また、建物内部の壁面には、下地の精度による不陸、点検用建具等の枠と扉との隙間等による凹凸があり、この壁面の凹凸に応じて上記のブラケットを取り付けるため、手摺を直線状に取付けることが困難であるという不都合があった。
【０００７】
また、建物の壁面の凹凸に沿って取り付けた手摺に凹凸が生じた場合、例えば廊下を走行する台車等が手摺の凸部に衝突して、その手摺を傷つけたり、衝突の際の衝撃で台車の載荷物をこぼしたりするという問題点があった。
【先行技術文献】
【特許文献】
【０００８】
【特許文献１】特開２０１０−２７０５１９号公報
【発明の概要】
【発明が解決しようとする課題】
【０００９】
本発明は、上記の事情に鑑みてなされたもので、建物内部の壁面に凹凸がある場合でも、その壁面に取付ける手摺を連続的な直線状の側面を有するように取り付けることができ、構成部材の取合い部分を簡潔な構造とすることによって、意匠的にも優れ、清掃にも好都合な構造としたブラケット一体型手摺を提供することを目的とする。
【課題を解決するための手段】
【００１０】
上記の目的を達成するために、本発明における請求項１のブラケット一体型手摺は、建物の壁面に固定する複数のブラケットと各ブラケットに固定する手摺部材とからなるブラケット一体型手摺において、ブラケットは、断面コ字形を有するブラケット本体を建物の壁面に間隔をあけて固定した状態で所定の奥行きを有する開口隙間が壁面の前方に向けて開口した状態に形成され、手摺部材は、前面が凹凸のない直線状に形成された長尺の側面体を有し、該側面体の上部に握り部が形成されると共に、該側面体の背後の途中に壁面側に向かって突出した水平突出部が形成され、該水平突出部に、壁面に固定したブラケットの開口隙間を摺動自在に嵌合し、壁面の凹凸に応じてブラケットの開口隙間と手摺部材の水平突出部との取り合いを調整することによって、手摺の前面を連続的な直線状の側面に形成することを特徴とする。
【００１１】
また、本発明における請求項２のブラケット一体型手摺は、請求項１において、ブラケット及び手摺部材は合成樹脂材料を用いて形成すると共に、該合成樹脂材料に抗菌剤を含有させたことを特徴とする。
【００１２】
また、本発明における請求項３のブラケット一体型手摺は、請求項１又は２において、ブラケットの背面の面内には所定深さの仮止め溝が形成され、該ブラケットを取り付けるべき壁面の所定箇所に所定厚さの位置決め部材を固定し、該位置決め部材をブラケットの仮止め溝に嵌合する形状とすることにより、壁面に取り付けた位置決め部材にブラケットの仮止め溝を嵌合することによって、該ブラケットを仮止めするようにしたことを特徴とする。
【００１３】
さらに、本発明における請求項４のブラケット一体型手摺は、請求項１、２又は３において、ブラケットの両側面には、ブラケットの開口隙間と手摺部材の水平突出部との取り合いに応じて生じた隙間を閉塞する化粧カバーを取り付けるための取付け溝が形成されたことを特徴とする。
【発明の効果】
【００１４】
本発明のブラケット一体型手摺によれば、建物の壁面の凹凸に応じてブラケットの開口隙間と手摺部材の水平突出部との取り合いを調整することによって、手摺部材の前面が凹凸のない直線状の側面を有するように取り付けることが可能となる。
【００１５】
従って、本発明のブラケット一体型手摺を、例えば病院等の廊下に取り付けた場合、手摺部材の前面は凹凸のない直線状の側面を連続的に有するものとすることができるため、患者用のベッドや食事の搬送台車等の角が手摺部材の側面に接触してもスムーズに走行させることができ、また手摺部材の側面を傷つけることもない。
【００１６】
また、本発明のブラケット一体型手摺の構成材料であるブラケット及び手摺部材は、高発泡樹脂又はガラス繊維合成樹脂（グラスファイバー合成樹脂）等の硬質合成樹脂材料を用いて押出し成形や射出成形により形成することが可能であり、量産が可能であって、コストの低減に有益となる。また、ブラケット及び手摺部材を形成する合成樹脂材料に抗菌剤を含有させることによって、大腸菌やその他の細菌等に対する抗菌効果を発揮することができ、日常的に直接手を触れる手摺部材を衛生的な環境で使用することが可能となる。
【００１７】
また、本発明において、予め、ブラケットを取り付けるべき壁面の所定箇所に所定厚さの位置決め部材を接着材等で固定し、ブラケットの背面に形成された仮止め溝を位置決め部材に嵌合することによって、夫々のブラケットを仮止めすることが可能となる。さらに、仮止めしたブラケットの開口隙間の奥部にネジを挿入して捩じ込むことによって壁面に固定することにより、ブラケットの取付け施工を容易且つ堅固に行うことが可能となる。
【図面の簡単な説明】
【００１８】
【図１】本発明による実施例１のブラケットに関する斜視図であり、（ａ）はブラケットに化粧カバーを取り付ける前の状態を前方斜めから見た斜視図であり、（ｂ）はブラケットに化粧カバーを取り付けた状態を前方斜めから見た斜視図であり、（ｃ）はブラケットに化粧カバーを取り付ける前の状態を後方斜めから見た斜視図であり、（ｄ）はブラケットに化粧カバーを取り付けた状態を後方斜めから見た斜視図である。
【図２】本発明による実施例１のブラケットに関する図であり、（ａ）は背面図、（ｂ）は側面図、（ｃ）は前面図である。
【図３】本発明による実施例１の手摺部材に関する図であり、（ａ）は手摺部材の前方が見える状態にした斜視図であり、（ｂ）は手摺部材の後方が見える状態にした斜視図である。
【図４】（ａ）及び(ｂ)は、本発明による実施例１のブラケットを建物の壁面に取り付ける施工状況を示す断面図である。
【図５】（ａ）及び(ｂ)は、本発明による実施例１のブラケットを建物の壁面に取り付け、該ブラケットに手摺部材を取り付ける施工状況を示す断面図である。
【図６】（ａ）及び(ｂ)は、本発明による実施例１のブラケット一体型手摺を凹凸のある壁面に取り付けた際でも、手摺部材の前面が凹凸のない直線状となることを示す断面図である。
【図７】（ａ）は本発明による実施例２のブラケットを後方斜めから見た斜視図であり、（ｂ）はブラケットと化粧カバーを前方斜めから見た斜視図である。
【図８】本発明による実施例２のブラケットに関する図であり、（ａ）はブラケットの背面図であり、（ｂ）はブラケットの側面図であり、（ｃ）はブラケットの上面図であり、（ｄ）はブラケットの前面図であり、(ｅ)はブラケットの断面図である。
【図９】（ａ）及び(ｂ)は、本発明による実施例２のブラケットを建物の壁面に取り付け、該ブラケットに手摺部材を取り付ける施工状況を示す断面図である。
【発明を実施するための形態】
【００１９】
以下、本発明の実施例について図面を参照しながら説明する。
【実施例１】
【００２０】
本実施例のブラケット一体型手摺１は、図６（ａ）及び（ｂ）に示すように、建物の壁面に固定する複数のブラケット２と各ブラケット２に固定する手摺部材３とから構成され、ブラケット２に形成された水平突出部４に、手摺部材３に形成された開口隙間５を摺動自在に嵌合してネジ等で固定することによって一体化したものである。
【００２１】
なお、図６（ａ）及び（ｂ）は、１個のブラケット２と手摺部材３の断面を示すものであり、複数に配列したブラケット２を図示していない。実際の施工としては、例えば、壁面の同一高さに横方向に間隔をあけて固定した複数の手摺部材３に複数の手摺部材３を横方向に連続的に取付け、壁面Ｗに凹凸があっても、連続的に取り付けた手摺部材３の前面が凹凸のない直線状の側面３ａを有するようにしたものである。
【００２２】
本実施例において、上記のブラケット２及び手摺部材３は、高発泡樹脂又はガラス繊維合成樹脂（グラスファイバー合成樹脂）等の硬質合成樹脂材料を用いて押出し成形や射出成形により形成することが可能である。また、ブラケット２及び手摺部材３を形成する合成樹脂材料に抗菌剤を含有させることによって、大腸菌やその他の細菌等に対する抗菌効果を発揮することができる手摺構造とすることも可能である。
【００２３】
このような構造において、本実施例のブラケット２は、図１及び図２に示すように、やや長形の立方形状のブラケット本体６として構成している。また、このブラケット本体６の前端の中央から左右方向に開口した所定の奥行きを有する開口隙間５が形成され、開口隙間５の上下に水平状の上方挟持部２ａと下方挟持部２ｂとを有する断面コ字形のブラケット本体６を形成している。
【００２４】
このブラケット本体６に形成された上記の開口隙間５の上下幅は、後述する手摺部材３に設けられた水平突出部４の上下幅を摺動自在に嵌合し得る寸法に形成されている。また、ブラケット２の両側面には、図６（ａ）、（ｂ）に示すように、化粧カバー８を取付けるための長方形の取付け溝９が形成されている。
【００２５】
また、上記の化粧カバー８は、矩形の取付け溝９に嵌合されると共に、水平方向に移動自在に取り付けられる長方形の形状を有し、この化粧カバー８の端部にも手摺部材３の水平突出部４を摺動自在に嵌合する凹溝８ａが形成されている。
【００２６】
なお、この化粧カバー８は、手摺部材３の水平突出部４をブラケット本体６の開口隙間５の内部に挿入した深さに応じて形成される隙間７を閉塞するために設けるものであり、隙間７の大きさに応じて化粧カバー８の大きさを調整して形成するようにしてもよい。
【００２７】
さらに、本実施例のブラケット２の背面の面内には所定深さの仮止め溝１０が形成され、図４（ａ）に示すように、ブラケット２を取り付けるべき壁面の所定箇所に所定厚さの位置決め部材１１を固定した状態で、図４(ｂ)に示す位置決め部材１１をブラケット２の仮止め溝１０（図１(c)または(d)参照）に嵌合するようにしている。
【００２８】
一方、本実施例の手摺部材３は、図３（ａ）、（ｂ）に示すように、前面が凹凸のない直線状の側面に形成された長尺の側面体３ａを有し、該側面体３ａの上部に後方に突出した肉厚の握り部３ｂが形成され、該側面体３ａの後面の途中に水平突出部４が突出形成されている。
【００２９】
本実施例は、上記のように構成されているため、図４（ａ）に示すように、予め、ブラケット２を取り付けるべき壁面Ｗの所定箇所に所定厚さの位置決め部材１１を接着材等で固定し、図４(ｂ)に示すように、この位置決め部材１１にブラケット２の仮止め溝１０を嵌合することによって、該ブラケット２を仮止めすることが可能とされている。
【００３０】
また、この仮止めしたブラケット２の開口隙間５の奥部にネジ１２を挿入して捩じ込み、ネジ１２の先端を壁面Ｗの背面に固定してある補強部材１３にまで到達させることにより、このブラケット２の取付けを堅固に行うことが可能となる。なお、このようなネジ締結の作業を便利にするため、予めブラケット２の開口隙間５の奥部に、図８（ａ）、(ｄ)に示すような、ネジを挿入するための貫通孔２０ａ、２０ｂを形成した構成とすることも可能である。
【００３１】
このようなブラケット２の取付け作業においては、図５（ａ）及び（ｂ）に示すように、壁面Ｗに固定したブラケット２の開口隙間５にブラケット２の水平突出部４を摺動自在に嵌合する。そして、下地の精度による壁面Ｗの不陸、点検用建具等の枠と扉との隙間等による凹凸等に応じて、ブラケット２の開口隙間５と手摺部材３の水平突出部４との取り合いを調整する。
【００３２】
即ち、ブラケット２の上方挟持部２ａと下方挟持部２ｂが開口隙間５に挿入された手摺部材３の水平突出部４を挟持すると共に、ブラケット２の上方挟持部２ａと下方挟持部２ｂが手摺部材３の背面の上方隙間４ａと下方隙間４ｂに進入してブラケット２の開口隙間５と手摺部材３の水平突出部４との前後位置の関係を調整することとなる。その後、ブラケット２の下方からネジ１４をねじ込んで手摺部材３を固定する。
【００３３】
これによって、図６（ａ）に示すように、壁面Ｗに突出部材１５が設けられてない場合でも、図６(ｂ)に示すように、壁面Ｗに突出部材１５が設けられている場合でも、手摺部材３の前端を、図６（ａ）及び(ｂ)において同様の突出長さＤとすることができ、手摺部材３の前面が凹凸のない連続的な直線状の側面となるように取り付けることが可能となる。
【００３４】
また、ブラケット２の両側面に設けられた取付け溝９に、図１（ａ）〜(ｄ)に示すように化粧カバー８を取り付けることによってブラケット２の開口隙間５と手摺部材３の水平突出部４との隙間７を閉塞することが可能となる。このため、隙間７にゴミ等が入ったりすることを防止でき、意匠性を確保することが可能となる。
【実施例２】
【００３５】
この実施例２は、上記の実施例１のブラケット２に関する他の実施例を示すものであり、この実施例において手摺部材３は実施例１と同様に構成することが可能である。従って、本実施例では、実施例のブラケット２に関する他の実施例について、図７〜図９を参照しながら説明する。
【００３６】
図７（ａ）及び（ｂ）に示すように、本実施例のブラケット１６は、実施例１のブラケット２と同様に、ブラケット本体１７の前端の中央から左右方向に開口した所定の奥行きを有する開口隙間１８が形成され、開口隙間１８の上下に略水平状の上方挟持部１７ａと下方挟持部１７ｂとを有する構成とされている。
【００３７】
また、このブラケット本体１７の開口隙間１８の上下幅は、実施例１のブラケット２と同様に、図３に示す手摺部材３に設けられた水平突出部４の上下幅を摺動自在に嵌合し得る寸法に形成され、ブラケット本体１７の両側面には、図７（ａ）、（ｂ）及び図８（ｄ）に示すように、化粧カバー２１を取付けるための長方形の取付け溝１９が形成されている。
【００３８】
ただし、本実施例の化粧カバー２１の端部には、実施例１のような凹溝８ａが形成されることなく、ブラケット本体１７の両側面の矩形の取付け溝１９、１９に対して横方向に移動可能に嵌合される長方形に形成されたものとしている。
【００３９】
また、図７（ａ）又は図８（ａ）に示すように、本実施例のブラケット１６の背面には、実施例１のような仮止め溝１０が形成されることなく、ブラケット１６の開口隙間１８の奥部にネジを挿入するための左右の貫通孔２０ａ、２０ｂが形成されている。
【００４０】
なお、本実施例のブラケット１６は、材料の軽量化及び強度化を図る枠組み２２により形成され、図７（ａ）に示すように、貫通孔２０ａ、２０ｂの背面はブラケット本体１７の背面からやや凹んだ形状に形成されている。このような構成により、図９に示すように、ブラケット１６の貫通孔２０ａ、２０ｂにネジ１２を挿通して壁面ｗに固定する際、ブラケット本体１７の背面を壁面ｗに安定した定着状態で固定することが可能となる。
【００４１】
なお、本実施例のブラケット１６は、実施例１のブラケット２と同様に、高発泡樹脂又はガラス繊維合成樹脂（グラスファイバー合成樹脂）等の硬質合成樹脂材料を用いて押出し成形や射出成形により形成することが可能である。また、その材料に抗菌剤を含有させることによって、大腸菌やその他の細菌等に対する抗菌効果を発揮することも可能である。
【００４２】
本実施例のブラケット１６は、上記のように構成されているため、図９（ａ）、（ｂ）に示すように、ブラケット１６の背面を壁面ｗの所定位置に当て、開口隙間５の前方からネジ１２を貫通孔２０ａ、２０ｂに挿通して壁面ｗに捩じ込んで固定する。
【００４３】
次いで、このブラケット１６の開口隙間１８に、手摺部材３の水平突出部４を挿入し、手摺部材３の前後位置を調整した後、ブラケット１６の下方からネジ１４をねじ込んで手摺部材３を固定することによって取付け作業を終了することができる。
【００４４】
このような実施例２においては、実施例１と同様に、壁面ｗの平坦状況又は突出状況に応じてブラケット１６を取付け、さらに各ブラケット１６に取り付けた何れの手摺部材３の前端をも、図６（ａ）、（ｂ）と同様に、同様の突出長さとすることができ、手摺部材３の前面が凹凸のない連続的な直線状の側面となるようにすることが可能となる。
【００４５】
また、ブラケット１６の両側面に設けられた取付け溝１９、１９に、図７（ｂ）に示す化粧カバー２１を取り付けることによってブラケット１６の開口隙間１８と手摺部材３の水平突出部４との隙間を閉塞することが可能となり、この隙間に対するゴミ等の進入を防止することができると共に、意匠性を確保することが可能となる。
【産業上の利用可能性】
【００４６】
本発明のブラケット一体型手摺は、建物内部の壁面に凹凸がある場合でも、その壁面に取付ける手摺部材を直線状にすることができ、取合い部分を簡潔な構造とすることによって、意匠的にも優れ、清掃にも好都合な構造としたブラケット一体型手摺として利用可能である。
【符号の説明】
【００４７】
１  ブラケット一体型手摺
２  ブラケット
２ａ  上方挟持部
２ｂ  下方挟持部
３  手摺部材
３ａ  側面体
３ｂ  握り部
４  水平突出部
４ａ  上方隙間
４ｂ  下方隙間
５  開口隙間
６  ブラケット本体
７  隙間
８  化粧カバー
８ａ  凹溝
９  取付け溝
１０  仮止め溝
１１  位置決め部材
１２  ネジ
１３  補強部材
１４  ネジ
１５  突出部材
１６  ブラケット
１７  ブラケット本体
１７ａ  上方挟持部
１７ｂ  下方挟持部
１８  開口隙間
１９  取付け溝
２０ａ、２０ｂ  貫通孔
２１  化粧カバー
２２  枠組み
Ｗ  壁面
Ｄ  壁面から手摺部材の前面までの距離
【要約】
【課題】建物内部の壁面に凹凸がある場合でも、その壁面に取付ける手摺を直線状に形成することができ、取合い部分を簡潔な構造とすることによって、意匠的にも優れ、清掃にも好都合な構造とした。
【解決手段】ブラケットは、断面コ字形を有するブラケット本体を建物の壁面に間隔をあけて固定した状態で所定の奥行きを有する開口隙間が壁面の前方に向けて開口した状態に形成され、手摺部材は、前面が凹凸のない直線状に形成された長尺の側面体を有し、該側面体の上部に握り部が形成されると共に、該側面体の背後の途中に壁面側に向かって突出した水平突出部が形成され、該水平突出部に、壁面に固定したブラケットの開口隙間を摺動自在に嵌合し、壁面の凹凸に応じてブラケットの開口隙間と手摺部材の水平突出部との取り合いを調整することによって、手摺の前面を連続的な直線状の側面に形成する。
【選択図】図６【図１】
0004793743.tif 000002
【図２】
0004793743.tif 000003
【図３】
0004793743.tif 000004
【図４】
0004793743.tif 000005
【図５】
0004793743.tif 000006
【図６】
0004793743.tif 000007
【図７】
0004793743.tif 000008
【図８】
0004793743.tif 000009
【図９】
0004793743.tif 000010